(57)【要約】【課題】簡単な構造で洗眼用の薬液を簡単に密封し、開封も容易な洗眼容器を供給する。【解決手段】眼の周囲に密接させるための湾曲した接触部１８を有する筒状の容器本体１２と、容器本体１２の開口部を密封する閉鎖部材である密封容器２２とからなる。密封容器２２と容器本体１２の間に一回の使用量の洗眼用薬液を収容する。容器本体１２は密封容器２２が係止される雌ねじ２０を備え、密封容器２２には、雌ネジ２０に水密状態で圧接する雄ねじ２６を備える。使用の際に、接触部１８側から密封容器２２を除去して、開封する。【選択図】        図２
2004230048.tif 000002
【特許請求の範囲】
【請求項１】
眼の周囲に密接させるための湾曲した接触部を有する筒状の容器本体と、上記容器本体の開口部を密封する閉鎖部材とからなり、上記閉鎖部材と容器本体の間に一回の使用量の洗眼用薬液を収容した洗眼容器において、上記容器本体に形成され上記閉鎖部材が係止される被係合部と、上記閉鎖部材に形成され上記被係合部に水密状態で圧接する係合部が設けられ、使用の際に上記容器本体又は閉鎖部材の少なくとも一部分を除去して開封可能に形成されたことを特徴とする洗眼容器。
【請求項２】
上記係合部と被係合部は、雄ねじと雌ねじから成り、上記雄ねじと上記雌ねじの螺合により上記容器本体と上記閉鎖部材が着脱自在に係止されることを特徴とする請求項１記載の洗眼容器。
【請求項３】
上記閉鎖部材又は容器本体の外側面には持ち手が設けられ、上記閉鎖部材又は容器本体には上記持ち手を囲むノッチ部が設けられていることを特徴とする請求項１記載の洗眼容器。
【請求項４】
上記容器本体は、上記接触部を有する環状の接触部材と、上記閉鎖部材が設けられ上記洗眼用薬液を収容する収容部材に分割され、着脱自在に設けられていることを特徴とする請求項１記載の洗眼容器。
【請求項５】
上記閉鎖部材と容器本体の上記係合部と被係合部は、互いの嵌合により係合し、圧接していることを特徴とする請求項１記載の洗眼容器。
【請求項６】
上記容器本体は、上記閉鎖部材が係合されている部分付近に、上記容器本体の中心軸に対して交差する面に沿って屈曲した段部が設けられていることを特徴とする請求項１記載の洗眼容器。
【請求項７】
上記容器本体に上記閉鎖部材を取り付けた状態で、上記容器本体は、上記接触部に近い方の上記閉鎖部材に同形の容器本体を載せて互いに積み重ね可能であることを特徴とする請求項６記載の洗眼容器。
【発明の詳細な説明】
【０００１】
【発明の属する技術分野】
この発明は、洗眼用の薬液を収容し、洗眼することができる使い捨てタイプの洗眼容器に関する。
【０００２】
【従来の技術】
【特許文献１】実開昭６３−９６８３４号公報
【特許文献２】実公平２−４４７４９号公報
従来、洗眼用の薬液を収容した洗眼容器は、使用時に液がこぼれないように眼の周囲と容器を密着させる必要があるため、特許文献１に開示されているように、眼の周囲との接触部は略楕円形でかつ湾曲した形状である。接触部は、眼の周囲に馴染み易いように周縁部は柔軟であることが好ましい。
【０００３】
また、特許文献２に開示されているように、密封容器の本体部分と蓋部分が一体に形成され、本体部分の底部に充填孔が形成され、ここから薬液の注入が行われるものもある。この洗眼容器は、薬液の注入後、充填孔はシール部材で閉鎖され、蓋部分の開封は、蓋部分の薄肉部を破断して行う。
【０００４】
【発明が解決しようとする課題】
しかし、上記従来の技術の前者の場合、略楕円形でかつ湾曲した接触部に蓋を固着し完全に密封することは技術的に非常に難しいものである上、固着部分である周縁部が大きくなるために柔軟性を保持できないという問題があった。また、曲面シールは自動化が難しく、製造の効率が良くなかった。さらに、容器本体は眼の周囲に密着させるため柔軟性が高いほうが良いが、柔軟性が高いと容器本体が変形する恐れがあり、この点からも曲面シールの形成及び自動化が難しかった。
【０００５】
また、上記従来の技術の後者の場合、充填孔にシール部材を取りつけて閉鎖しているため、密封工程が面倒であり、液漏れが発生する恐れがある。またシール部材を接着剤で取り付けるときは、接着剤が薬液に溶ける恐れがある。シール材をボルト状のネジ部材にし、閉鎖する方法もあるが、取り付けが面倒であった。
【０００６】
この発明は上記従来の問題点に鑑みてなされたものであり、簡単な構造で洗眼用の薬液を簡単に密封し、開封も容易な洗眼容器を供給することを目的とする。
【０００７】
【課題を解決するための手段】
この発明は、眼の周囲に密接させるための湾曲した接触部を有する筒状の容器本体と、上記容器本体の開口部を密封する閉鎖部材とからなり、上記閉鎖部材と容器本体の間に一回の使用量の洗眼用薬液を収容した洗眼容器であって、上記容器本体に形成され上記閉鎖部材が係止される被係合部と、上記閉鎖部材に形成され上記被係合部に水密状態で圧接する係合部が設けられ、使用の際に上記容器本体又は閉鎖部材の少なくとも一部分を除去して開封可能に形成された洗眼容器である。
【０００８】
上記係合部と被係合部は、雄ねじと雌ねじから成り、上記雄ねじと上記雌ねじの螺合により上記容器本体と上記閉鎖部材が着脱自在に係止される。また、上記閉鎖部材又は容器本体の外側面には持ち手が設けられ、上記閉鎖部材又は容器本体には上記持ち手を囲むノッチ部が設けられ、上記持ち手を引いて、上記ノッチ部で一部分を切除して開封するものである。
【０００９】
上記容器本体は、上記接触部を有する環状の接触部材と、上記閉鎖部材が設けられ上記洗眼用薬液を収容する収容部材に分割され、この接触部材と収容部材が着脱自在に設けられている。また、  上記閉鎖部材と容器本体の上記係合部と被係合部は、互いの嵌合により係合し、圧接している。
【００１０】
上記容器本体は、上記閉鎖部材が係合されている部分付近に、上記容器本体の中心軸に対して交差する面に沿って屈曲した段部が設けられている。上記容器本体に上記閉鎖部材を取り付けた状態で、上記容器本体は、上記接触部に近い方の上記閉鎖部材に同形の容器本体を載せて互いに積み重ね可能である。
【００１１】
【発明の実施の形態】
以下、この発明の実施形態について図面に基づいて説明する。図１〜図３は、この発明の第一実施形態を示すものであり、この実施形態の洗眼容器１０は、適度な弾力性及び柔軟性を有する合成樹脂で形成された容器本体１２を備えている。合成樹脂の種類は例えば低密度ＰＥ（ポリエチレン），ＰＰ（ポリプロピレン）である。容器本体１２は、円筒状の側面部１４を有し、側面部１４の一端部１４ａには平坦な底部１６が設けられて閉鎖されている。底部１６は、底部１６の中心がわずかに内側にくぼんでいる。底部１６には、側面部１４の少し内側に密閉用の円筒状の突起１７が、底部１６に対して直角に立設され側面部１４に平行に位置している。
【００１２】
側面部１４の他端部１４ｂは、側面部１４よりもラッパ状に外側に広げられて眼に当接する接触部１８が形成されている。接触部１８の縁部１８ａは、楕円状に形成され、楕円の長軸方向の側面部１２に連続する部分が高く、そして外側に延出している。接触部１８の、この方向に対して直交する直径方向に連続する部分は、周囲より低く形成されている。接触部１８の縁部１８ａは、断面形状が丸く滑らかな曲線に形成されている。容器本体１２の、底部１６近傍の内周面には、後述する密封容器２２が取りつけられる被係合部である雌ねじ２０が形成されている。
【００１３】
密封容器２２は、容器本体１２に後述する洗眼用の薬液３０を収容する部分を備えた閉鎖部材であり、適度な弾力性及び柔軟性を有する容器本体１２と同様の合成樹脂で形成されている。密封容器２２は容器本体１２の側面部１４に所定のゆとりを有して嵌合され、側面部１４と突起１７の間に嵌合される厚みを有する円筒状の側面部２４が設けられている。側面部２４の一方の端部２４ａ近傍には、容器本体１２の側面部１４の雌ねじ２０に螺合する係合部である雄ねじ２６が形成されている。側面部２４の、雄ねじ２６以外の部分には、すべり止めのために、側面部２４の長手方向に沿う複数本の線状の凹部２７が形成されている。側面部２４の、反対の端部２４ｂの少し内側には、側面部２４を閉鎖する板状の仕切部２８が一体に形成されている。
【００１４】
この実施形態の洗眼容器１０の薬液充填方法は、密封容器２２について図２等に示す状態を上下逆にして、側面部２４の内側に、側面部２４の端部２４ａ側から洗眼用の薬液３０を注ぎ、容器本体１２を密封容器２２に嵌合させ密封し、包装する。このとき、密封容器２２は、側面部２４の雄ねじ２６と容器本体１２の雌ねじ２０を螺合させ、側面部２４の端部２４ａの内側面に突起１７を嵌入させる。これにより密封容器２２は、水密に容器本体１２に取り付けられ、薬液３０がこぼれることがない。
【００１５】
そして、洗眼するときは、容器本体１２を、接触部１８が上になるように保持し、密封容器２２を回転させて螺合を解除して取り外す。薬液３０は、容器本体１２の内側に満たされる。そして、容器本体１２の接触部１８を眼の周囲で閉じるようにして顔に当て、顔を上に向けて洗眼する。
【００１６】
この実施形態の洗眼容器１０によれば、簡単な構造で洗眼用の薬液３０を容器本体１２と密封容器２２に密封することができる。容器本体１２には湾曲した形状の接触部１８が設けられているが、接触部１８以外の部分で、密封容器２２を螺合により水密に取り付けて薬液３０を収容するため、収容する工程が簡単で効率が良い。開封する際は、密封容器２２を回転させて螺合を解除するだけなので、手間がかからず簡単に開封し、洗眼することができる。
【００１７】
次にこの発明の第二実施形態について図４〜図６に基づいて説明する。この実施形態の洗眼容器３２は、適度な弾力性及び柔軟性を有する合成樹脂で形成された容器本体３４を備えている。容器本体３４は、円柱状の側面部３６を有し、側面部３６の一端部３６ａには平坦な底部３８が設けられて閉鎖されている。
【００１８】
側面部３６の他方の端部３６ｂには、外側へ広げられる段部４０が一周して形成され、段部４０の外側部分に連続し底部３８の反対方向へ伸びる接触部４２が一周して設けられている。接触部４２の縁部４２ａは、楕円状に形成され、楕円の長軸方向の側面部３６に連続する部分が高く、そして外側に延出している。接触部４２の、この方向に対して直交する方向に連続する部分は、周囲よりも低く形成されている。接触部４２の縁部４２ａは、断面形状が丸く滑らかな曲線に形成されている。
【００１９】
容器本体３４の、段部４０の少し上方の内周面には、内側に突出する係合突起４４が一周して形成されている。容器本体３４の内側には、係合突起４４と段部４０の間に係止される円板状の閉鎖部材である蓋部材４６が設けられている。蓋部材４６は、取り付け状態で容器本体３４の底部３８に対面する裏側面４６ａには、蓋部材４６の周縁部よりも少し内側に、密閉用の円筒状の突起４８が底部３８側に突出して設けられている。蓋部材４６の外側に対面する表側面４６ｂには、蓋部材４６を外すときに引き上げる持ち手であるプルタブ５０が一体に形成されている。プルタブ５０には、リング部５２が設けられ、リング部５２の一部に、蓋部材４６の表側面４６ｂに連結する立上部５４が設けられている。
【００２０】
この実施形態の洗眼容器３２の薬剤充填方法は、容器本体３４の、側面部３６の内側に洗眼用の薬液３０を充填し、容器本体３４に蓋部材４６を圧入し密封包装する。蓋部材４６は、容器本体３４の接触部４２側から押し込み、係合突起４４を弾性変形させて乗り越え、段部４０に当接して係止される。蓋部材４６の表側面４６ｂには係合突起４４が当接し、確実に保持される。そして蓋部材４６の突起４８は容器本体３４の側面部３６の内周面に当接し、これにより蓋部材４６は、水密に容器本体３４に取り付けられ、薬液３０がこぼれることがない。
【００２１】
そして、洗眼するときは、容器本体３４を、接触部４２が上になるように保持し、プルタブ５０を指で摘んで引き上げる。蓋部材４６は係合突起４４を弾性変形させながら乗り越えて係合が解除され、取り外す。次に容器本体３４の接触部４２を閉じるようにして、接触部４２に顔の眼の周囲を当て、顔を上に向けて洗眼する。
【００２２】
この実施形態の洗眼容器３２は、簡単な構造で洗眼用の薬液３０を容器本体３４に密封包装することができる。蓋部材４６にはプルタブ５０が取り付けられているため、プルタブ５０を引き上げるだけで蓋部材４６を容易に開封することができる。
【００２３】
次に、この実施形態の変形例について図７〜図１０に基づいて説明する。この実施形態の変形例の洗眼容器５６は、容器本体３４の壁の厚み全体が薄く形成されている。そして接触部４２の端部４２ａは、顔に触れる部分が丸くなるように外側に丸く折り返されている。容器本体３４の側面部３６は、相対的に径が小さく形成され、横方向の力に対する補強のために段部４０が側方に広く形成されている。さらに側面部３６は底部３８に近付くにつれて径が小さくなっている。
【００２４】
また、蓋部材４６に取り付けられたプルタブ５０のリング部５２は、容器本体３４の側面部３６より大きい内径に形成され、リング部５２の内側に同形の容器本体３４の側面部３６を差し込むことができる。蓋部材４６の表側面４６ｂには、容器本体３４の底部３８が嵌合される凹部５８が形成されている。これにより、図１０に示すように、同形の洗眼容器５６をがたつき無く積み重ねて保管や輸送を行うことができる。
【００２５】
この洗眼容器５６によれば、プルタブ５０のリング部５２の内側に同形の洗眼容器５６の、容器本体３４の側面部３４を入れて上下に積み重ねることができる。これにより、コンパクトに収納することができ場所を取らず、携帯の際も便利である。容器本体３４は薄形に形成され、柔軟性が向上して皮膚の接触感が良好である。一方で容器本体３４の剛性が不足し、側面部１４方向からの外力によって変形しやすくなるという問題が考えられるので、段部４０の側方に突出する部分を幅広く設け、側方から受ける力に対して強度が高く安全である。
【００２６】
次にこの発明の第三実施形態について図１１〜図１３に基づいて説明する。この実施形態の洗眼容器６０は、容器本体３４に側面部３６が設けられ、側面部３６の一端部３６ａには平坦な底部３８が設けられている。側面部３６の他方の端部３６ｂには、外側へ広げられる段部６１が一周して形成されている。
【００２７】
容器本体３４の段部６１の外側には、容器本体３４の収容部材である側面３６及び底部３８と、底部３８の反対側へ延出する別体の円筒状の接触部材６３とから成り、互いに着脱自在に取り付けられている。接触部材６３の縁部６３ａは上記と同様の接触部として、断面形状が丸く形成され、曲線状に形成されている。接触部材６３の側面部３６側の端部６３ｂは、段部６１の外側角部を覆うＬ字形に内側に折り曲げられている。そして接触部材６３は端部６３ｂの弾性力により容器本体３４の段部５１に着脱自在に取り付けられている。
【００２８】
容器本体３４の、段部６１より少し上の部分の内周面には、内側に突出する係合突起６５が一周して形成されている。容器本体３４内側には、係合突起６５と段部６１の間に係止される円板状の蓋部材６７が設けられている。蓋部材６７の裏側面６７ａには、蓋部材６７の周縁部よりも少し内側に、密閉用の円筒状の突起６９が底部３８側に突出して設けられている。蓋部材６７の表側面６７ｂには、蓋部材６７を外すときに引き上げるプルタブ７１が一体に形成されている。
【００２９】
この洗眼容器６０によれば、接触部材６３が容器本体３４に着脱自在であるため、接触部６３を一個と、洗眼用の薬液が入った容器本体３４複数個を、セットにして販売することができる。容器本体３４は使い捨てとして衛生的であり、接触部材６３が各々にない分だけ小形で、廃棄する部分が少なくなる。接触部材６３は、洗って繰り返し使用することができ、無駄が無く経済的であり、環境に配慮したものとなる。接触部材６３は着脱自在であるため、大人用や子供用等、サイズの違うものを使用者に適したものに選択し、使用することができる。
【００３０】
次にこの発明の第四実施形態について図１４〜図１６に基づいて説明する。この実施形態の洗眼容器６２は、適度な弾力性及び柔軟性を有する合成樹脂で形成された容器本体６４を備えている。容器本体６４は、円筒状の側面部６６を有し、側面部６６の一方の端部６６ａは開口し、端部６６ａ付近の外周面には、その厚みを一部切り欠いて薄く形成した差込部６８が一周して形成されている。差込部６８の外側面には、係合突起７０が一周して形成されている。
【００３１】
側面部６６の途中には、側面部６６の中間部を閉鎖する蓋部７２が一体に形成されている。蓋部７２の差込部６８と反対側に位置する表側面７２ａには、側面部６６の内側に沿う環状の凸部７４が形成されている。蓋部７２の裏側面７２ｂには、凸部７４の内側に沿う環状に、蓋部７２の厚み方向に薄肉にしたノッチ部７６が形成されている。蓋部７２のノッチ部７６の内周側は、側面部６６の差込部６８に近付くようにくぼんでいる。ノッチ部７６の反対側表面にはプルタブ７８が設けられ、プルタブ７８にはドーナッツ状のリング部８０が設けられ、リング部８０の蓋部７２の表側面７２ａ側に、ノッチ部７６の内側付近に連結した立上部８２が設けられている。
【００３２】
側面部６６の蓋部７２の外側には、蓋部７２から離れる方向へ延びるラッパ状の接触部８４が一周して設けられている。接触部８４の縁部８４ａは、楕円状に形成され、楕円の長軸方向の側面部６６に連続する部分が高く、そして外側に延出している。接触部８４の、この方向に対して直交する直径方向に連続する部分は、周囲よりも低く形成されている。接触部８４の縁部８４ａは、断面形状が丸く形成され、接触部８４に沿って滑らかな曲線に形成されている。
【００３３】
容器本体６４の差込部６８には、閉鎖部材である底部材８６が取り付けられている。底部材８６には、容器本体６４の側面部６６の底面開口を閉鎖する底板部８８が設けられ、底板部８８の周縁部には底板部８８に対してほぼ直角に位置し、容器本体６４の差込部６８の外側に当接する縁部９０が一周して形成されている。縁部９０の内周面には、係合突起９２が内側に向かって形成されている。底板部８８には、縁部９０の所定距離内側に沿って円筒状の当接部９４が形成されている。
【００３４】
この実施形態の洗眼容器６２の薬液注入方法は、容器本体６４の接触部８４を下側にして、側面部６６の内側に薬液３０を注ぎ、容器本体６４に対して上方から底部材８６を密封し包装する。このとき、底部材８６は、縁部９０と当接部９４の間に差込部６８を入れながら押し込み、差込部６８の係合突起７０が底部材８６の縁部９０の係合突起９２を弾性変形させて乗り越え、係止させる。そして底部材８６の当接部９４は、容器本体６４の側面部６６の内周面に当接し、これにより底部材８６は、水密に容器本体６４に取りつけられ、薬液３０がこぼれることがない。
【００３５】
そして、洗眼するときは、容器本体６４を、接触部８４が上になるように保持し、プルタブ７８を指で摘んで引き上げる。これにより、蓋部６６のノッチ部７６が切断され、蓋部６６の凸部７４の内側が開口される。次に容器本体６４の接触部８４を閉じるようにして、顔の眼の周囲に当て、顔を上に向けて洗眼する。
【００３６】
この実施形態の洗眼容器６２によれば、簡単な構造で洗眼用の薬液３０を容器本体６４に密封することができる。蓋部７２のノッチ部７６で囲まれた部分にはプルタブ７８が取り付けられているため、プルタブ７８を引き上げるだけで蓋部７２を容易に開封することができる。
【００３７】
次に、この実施形態の変形例について図１７〜図１９に基づいて説明する。この実施形態の変形例の洗眼容器９６は、容器本体６４が、収容部材である側面部６６と、端面が接触部である接触部材８４とに分割されている。容器本体６４の側面部６６の途中には内側にＬ字形に折り曲げられた段部９８が設けられ、段部９８に連続して側面部６６よりも径が小さい円筒状の側面１００が形成されている。側面１００の先端には蓋部７２が設けられ、蓋部７２には凸部７４、ノッチ部７６、プルタブ７８が設けられている。側面１００の外側には、側面部１００と別体の接触部８４が着脱自在に嵌合されている。
【００３８】
この洗眼容器９６によれば、接触部材８４が容器本体６４に着脱自在であるため、接触部４２を繰り返し使用することができ、上記第三実施形態と同様の効果を得ることができ、経済的で環境に配慮したものとなる。
【００３９】
なお、この発明の洗眼容器は、上記各実施形態に限定されるものではなく、各部材の形状は自由であり、容器本体と、蓋部材等の閉鎖部材との連結手段は何でも良い。洗眼容器の素材は、上記実施形態以外に適度な弾力性を有するものであれば自由に変更可能である。
【００４０】
【発明の効果】
この発明の洗眼容器は、簡単な構造で洗眼用の薬液を容器本体に密封することができる。容器本体は、顔に密着させて洗眼できるように滑らかな形状の接触部が設けられ、接触部以外の部分で密封容器を水密に取りつけて薬液を収容するため、収容する工程が簡単で効率が良い。また、簡単な工程で開封することができ、便利である。
【図面の簡単な説明】
【図１】この発明の第一実施形態の洗眼容器の平面図（Ａ）、正面図（Ｂ）、右側面図（Ｃ）、底面図（Ｄ）である。
【図２】図１（Ａ）のＩ―Ｉ線断面図である。
【図３】図１（Ｂ）のＩＩ―ＩＩ線断面図である。
【図４】この発明の第二実施形態の洗眼容器の平面図（Ａ）、正面図（Ｂ）、右側面図（Ｃ）、底面図（Ｄ）である。
【図５】図４（Ａ）のＩ―Ｉ線断面図である。
【図６】図４（Ｂ）のＩＩ―ＩＩ線断面図である。
【図７】この実施形態の変形例の洗眼容器の平面図（Ａ）、正面図（Ｂ）、右側面図（Ｃ）、底面図（Ｄ）である。
【図８】図７（Ａ）のＩ―Ｉ線断面図である。
【図９】図７（Ｂ）のＩＩ―ＩＩ線断面図である。
【図１０】この実施形態の変形例の洗眼容器を積み重ねた状態を示す断面図である。
【図１１】この発明の第三実施形態の洗眼容器の平面図（Ａ）、正面図（Ｂ）、右側面図（Ｃ）、底面図（Ｄ）である。
【図１２】図１１（Ａ）のＩ―Ｉ線断面図である。
【図１３】図１１（Ｂ）のＩＩ―ＩＩ線断面図である。
【図１４】この発明の第四実施形態の洗眼容器の平面図（Ａ）、正面図（Ｂ）、右側面図（Ｃ）、底面図（Ｄ）である。
【図１５】図１４（Ａ）のＩ―Ｉ線断面図である。
【図１６】図１４（Ｂ）のＩＩ―ＩＩ線断面図である。
【図１７】この実施形態の変形例の洗眼容器の平面図（Ａ）、正面図（Ｂ）、右側面図（Ｃ）、底面図（Ｄ）である。
【図１８】図１７（Ａ）のＩ―Ｉ線断面図である。
【図１９】図１７（Ｂ）のＩＩ―ＩＩ線断面図である。
【符号の説明】
１０  洗眼容器
１２  容器本体
１４，２４  側面部
１６  底部
１８  接触部
２０  雌ねじ
２２  密封容器
２６  雄ねじ
２８  仕切部
１  薬液
【図１】
2004230048.tif 000003
【図２】
2004230048.tif 000004
【図３】
2004230048.tif 000005
【図４】
2004230048.tif 000006
【図５】
2004230048.tif 000007
【図６】
2004230048.tif 000008
【図７】
2004230048.tif 000009
【図８】
2004230048.tif 000010
【図９】
2004230048.tif 000011
【図１０】
2004230048.tif 000012
【図１１】
2004230048.tif 000013
【図１２】
2004230048.tif 000014
【図１３】
2004230048.tif 000015
【図１４】
2004230048.tif 000016
【図１５】
2004230048.tif 000017
【図１６】
2004230048.tif 000018
【図１７】
2004230048.tif 000019
【図１８】
2004230048.tif 000020
【図１９】
2004230048.tif 000021